(57)【要約】【課題】  複数の液体を個別に貯留可能であり、かつ液体を貯留するボトルボディごとに容易に結合および分離可能な飲料用容器を提供する。【解決手段】  飲料用容器１００は、飲料用の液体を貯留するキャビティ１１、２１を形成するボトルボディ１およびボトルボディ２などから構成される。ボトルボディ１の外壁には凸状の第１凸部１７が形成され、ボトルボディ２の外壁には第１凸部１７が嵌合する凹状の第１凹部２７が形成されている。また、ボトルボディ１の外壁には凹状の第２凹部１８が形成され、ボトルボディ２の外壁には第２凹部１８に嵌合する凸状の第２凸部２８が形成される。ボトルボディ１、２を結合するとき、第１凸部１７を第１凹部２７に嵌合するとともに、第２凸部２８を第２凹部１８に嵌合する。これにより、ボトルボディ１およびボトルボディ２は容易に結合することができる。【選択図】  図４
2013039976.tif 000002
【特許請求の範囲】
【請求項１】
液体を貯留する貯留空間、前記貯留空間と外部とを連通する一方の開口、および前記一方の開口とは反対側で前記貯留空間と外部とを連通する他方の開口を有する複数のボトルボディと、
複数の前記一方の開口を塞ぐ複数の一方の蓋部材と、
複数の前記他方の開口を塞ぐ複数の他方の蓋部材と、
を備え、
複数の前記ボトルボディに形成される複数の前記貯留空間は非連通であり、
前記ボトルボディの外壁には前記ボトルボディどうしを結合または分離可能な結合部が形成されることを特徴とする飲料用容器。
【請求項２】
複数の前記ボトルボディは、前記結合部により同じ高さで結合されることを特徴とする請求項１に記載の飲料用容器。
【請求項３】
複数の前記ボトルボディのうち、一つのボトルボディの結合部は凸状に形成され、前記一つのボトルボディに結合する他のボトルボディの結合部は前記一つのボトルボディの結合部が嵌合するように凹状に形成されることを特徴とする請求項２に記載の飲料用容器。
【請求項４】
複数の前記ボトルボディの外壁には更に補助結合部が設けられ、
前記一つのボトルボディの補助結合部は凹状に形成され、前記他のボトルボディの補助結合部は前記一つのボトルボディの補助結合部に嵌合するように凸状に形成され、
複数の前記ボトルボディの結合方向は前記補助結合部どうしの嵌合方向に平行であることを特徴とする請求項３に記載の飲料用容器。
【請求項５】
前記一方の開口を形成する一方の縁部または前記他方の開口を形成する他方の縁部に前記貯留空間へ向けて延びるようにフィルタが設けられることを特徴とする請求項１に記載の飲料用容器。
【請求項６】
前記フィルタは、前記一方の蓋部材または前記他方の蓋部材に当接し、前記一方の縁部または前記他方の縁部に固定されることを特徴とする請求項５に記載の飲料用容器。
【請求項７】
複数の前記ボトルボディのうち、一つのボトルボディの他方の開口を塞ぐ一つのボトルボディの他方の蓋部材と、前記一つのボトルボディとは異なる他方のボトルボディの他方の開口を塞ぐ他方のボトルボディの他方の蓋部材とは、一体に形成され、
前記一つのボトルボディの前記他方の開口側の外壁には第１ねじ溝が形成され、
前記他方のボトルボディの前記他方の開口側の外壁には第２ねじ溝が形成され、
前記一体に形成される他方の蓋部材の前記一つのボトルボディ側の内壁には第３ねじ溝が形成され、
前記一体に形成される他方の蓋部材の前記他方のボトルボディ側の内壁には第４ねじ溝が形成され、
前記第１ねじ溝と前記第３ねじ溝とが係合しかつ前記第２ねじ溝と前記第４ねじ溝とが係合することにより、前記一つのボトルボディと前記他方のボトルボディとが結合することを特徴とする請求項１に記載の飲料用容器。
【発明の詳細な説明】
【技術分野】
【０００１】
本発明は、飲料用容器に関し、より詳しくは、複数のキャビティおよび複数の開口を有する飲料用容器に関する。
【背景技術】
【０００２】
特許文献１に記載の飲料用容器は、図１２に示すように、ボトルボディ４を備え、内部に充填空間４１を形成する。ボトルボディ４の上下には開口４２を有する。下側の開口に設けられるフィルタ４３は充填空間４１へ向かって延びように設けられ、２つの開口４２には上蓋部４４および下蓋部４５がそれぞれ設けられる。下蓋部４５はフィルタ４３を下側の開口４２の縁部に当接させ固定する。しかしながら、１種類の液体しか入れられず、複数の異なる液体を入れることができない。
【０００３】
また、特許文献２に記載の容器の組合せ構造は、図１３に示すように複数のガス注入式容器５を備える。各ガス注入式容器５の内部には、収納空間５１および収納空間５１を覆うガス注入空間５２が形成される。各ガス注入式容器５のガス注入空間５２の間には相互に連通するチャンネル５３が設けられ、各ガス注入式容器５は一体に設けられる。
【０００４】
しかしながら、特許文献２に記載の容器の組合せ構造では、各容器の収納空間５１を利用して異なる種類の液体を入れることができるが、容器を分離させることができないため、容器を洗浄するとき洗浄しにくい。
【先行技術文献】
【特許文献】
【０００５】
【特許文献１】台湾特許出願公開第Ｍ２６３８６２号明細書
【特許文献２】台湾特許出願公開第Ｍ３１８３４７号明細書
【発明の概要】
【発明が解決しようとする課題】
【０００６】
本発明は、このような従来の問題に鑑みてなされたものである。本発明の目的は、複数の液体を個別に貯留可能であり、かつ液体を貯留するボトルボディごとに容易に結合および分離可能な飲料用容器を提供することにある。
【課題を解決するための手段】
【０００７】
本発明の飲料用容器は、液体を貯留する貯留空間、貯留空間と外部とを連通する一方の開口、一方の開口とは反対側で貯留空間と外部とを連通する他方の開口を有する複数のボトルボディと、複数の一方の開口を塞ぐ複数の一方の蓋部材と、複数の他方の開口を塞ぐ複数の他方の蓋部材と、を備える。複数のボトルボディに形成される複数の貯留空間は非連通であり、複数のボトルボディの外壁にはボトルボディどうしを結合または分離可能な結合部が形成されることを特徴とする。
【０００８】
本発明の飲料用容器は、複数の貯留空間を有することで複数の異なる種類の液体を貯留することができる。複数の貯留空間を形成する複数のボトルボディには、一つのボトルボディと他のボトルボディとの結合または分離を可能にする結合部が設けられる。
【０００９】
本発明によれば、各容器を分離できるため、容器を洗浄するとき容易に貯留空間内を洗浄することができる。
【図面の簡単な説明】
【００１０】
【図１】本発明の第１実施形態による飲料用容器の斜視図である。
【図２】本発明の第１実施形態による飲料用容器の分解斜視図である。
【図３】本発明の第１実施形態による飲料用容器の側面図である。
【図４】本発明の第１実施形態による飲料用容器の上面図である。
【図５】本発明の第２実施形態による飲料用容器の斜視図である。
【図６】本発明の第２実施形態による飲料用容器の上面図である。
【図７】本発明の第２実施形態による飲料用容器の分解斜視図である。
【図８】本発明の第２実施形態による飲料用容器の分解斜視図であって、図６とは異なる方向に分解したときの分解斜視図ある。
【図９】本発明の第３実施形態による飲料用容器の斜視図である。
【図１０】本発明の第３実施形態による飲料用容器の分解斜視図である。
【図１１】本発明の第３実施形態による飲料用容器の部分断面図である。
【図１２】従来の飲料用容器の部分断面図である。
【図１３】図１２とは異なる従来の飲料用容器の断面図である。
【発明を実施するための形態】
【００１１】
以下に本発明の複数の実施形態について図面に基づいて詳細に説明する。なお、本発明は、以下に説明する実施形態に限定されるものではない。
（第１実施形態）
第１実施形態による飲料用容器について図１〜４に基づいて説明する。なお、図１〜４において、紙面の上側を「上」、紙面の下側を「下」とする。
飲料用容器１００は、２つのボトルボディ１およびボトルボディ２などから構成される。ボトルボディ１、２の内部には飲料用の液体を貯留する「貯留空間」としてのキャビティ１１、２１がそれぞれ形成される。キャビティ１１、２１は互いに連通していない。ボトルボディ１、２には「一方の開口」としての上側開口１２、２２が上方に向けて形成される。上側開口１２、２２には上側開口１２、２２を塞ぐ「一方の蓋部材」としての上側蓋部材１４、２４が設けられる。また、ボトルボディ１、２には「他方の開口」としての下側開口１３、２３が下方へ向けて形成される。下側開口１３、２３には下側開口１３、２３を塞ぐ「他方の蓋部材」としての下側蓋部材１６、２６が設けられる。
【００１２】
第１実施形態では、ボトルボディ１、２の下側開口２３にはキャビティ１１、２１へ向けて延びるようにフィルタ２５が設けられる。フィルタ２５は、下側蓋部材２６に当接し、下側開口２３を形成する縁部に固定される。ボトルボディ１、２の下側にはボトルボディ１、２を床面に対して垂直に支持し、転倒を防ぐ支持板１９、２９がそれぞれ設けられる。
【００１３】
ボトルボディ１の外壁には凸状の第１凸部１７が形成されるとともに、ボトルボディ２の外壁には第１凸部１７が嵌合する凹状の第１凹部２７が形成されている。また、ボトルボディ１の外壁には凹状の第２凹部１８が形成されるとともに、ボトルボディ２の外壁には第２凹部１８に嵌合する凸状の第２凸部２８が形成される。第１凸部１７および第１凹部２７は、特許請求の範囲に記載の「結合部」に相当する。また、第２凹部１８および第２凸部２８は、特許請求の範囲に記載の「補助結合部」に相当する。
【００１４】
ボトルボディ１、２を結合するとき、ボトルボディ１に対するボトルボディ２の移動方向は、第２凹部１８と第２凸部２８との嵌合方向に平行である。これにより、ボトルボディ１の第１凸部１７は対応するボトルボディ２の第１凹部２７に位置調整され、ボトルボディ１、２は水平方向に同じ高さで平行移動しながら相互に近づき、ボトルボディ１、２を結合することができる。
【００１５】
また、ボトルボディ１、２を分離する場合、ボトルボディ１、２に第２凹部１８と第２凸部２８との嵌合方向とは反対の方向に力を加えることにより、ボトルボディ１、２を分離することができる。
【００１６】
（第２実施形態）
次に本発明の第２実施形態による飲料用容器について図５〜８に基づいて説明する。第２実施形態は、第１実施形態と異なり、結合部および補助結合部の形状が異なる。なお、第１実施形態と実質的に同一の部位には同一の符号を付し、説明を省略する。
【００１７】
第２実施形態の飲料用容器２００では、ボトルボディ２の外壁の上端から下端には第１凹部２７Ｂが形成されるとともに、ボトルボディ１の外壁の上端から下端には第１凹部２７Ｂに嵌合する第１凸部１７Ｂが形成されている。また、ボトルボディ１の外壁の上端から下端には第２凹部１８Ｂが形成されるとともに、ボトルボディ２の外壁の上端から下端には第２凹部１８Ｂに嵌合する第２凸部２８Ｂが形成される。第１凸部１７Ｂおよび第１凹部２７Ｂは、特許請求の範囲に記載の「結合部」に相当する。また、第２凹部１８Ｂおよび第２凸部２８Ｂは、特許請求の範囲に記載の「補助結合部」に相当する。
【００１８】
第２実施形態の飲料用容器２００では、第１凸部１７Ｂと第１凹部２７Ｂとの当接面積、および、第２凹部１８Ｂと第２凸部２８Ｂとの当接面積が第１実施形態の飲料用容器１００に比べて増加することにより、ボトルボディ１、２を確実に結合することができる。また、飲料用容器２００では、第１凸部１７Ｂ、第１凹部２７Ｂ、第２凹部１８Ｂおよび第２凸部２８Ｂの形状に対応し、２つのボトルボディ１、２を図７に示すように水平方向に移動して結合するか、または、図８に示すように鉛直方向に移動して結合することができる。
【００１９】
（第３実施形態）
次に本発明の第３実施形態による飲料用容器３００について図９〜１１に基づいて説明する。第３実施形態は、第１実施形態と異なり、結合部が形成される位置および形状が異なる。なお、第１実施形態と実質的に同一の部位には同一の符号を付し、説明を省略する。
【００２０】
第３実施形態による飲料用容器３００では、ボトルボディ１、２は共通の下側蓋部材３６を有する。下側蓋部材３６の内壁には内向きに第３ねじ溝３６１および第４ねじ溝３６２が形成される。
【００２１】
ボトルボディ１の下側開口１３側の外壁には外向きに第１ねじ溝１３１が形成される。また、ボトルボディ２の下側開口２３側の外壁には外向きに第２ねじ溝２３１が形成される。
【００２２】
ボトルボディ１、２は、第１ねじ溝１３１と第３ねじ溝３６１とが係合し、第２ねじ溝２３１と第４ねじ溝３６２とが係合することにより、図１０に示すように下側どうしが向かい合わせになって結合される。また、ボトルボディ１とボトルボディ２とを分離する場合、下側蓋部材３６に対してボトルボディ１またはボトルボディ２を緩めることにより、容易に分離することができる。
【００２３】
以上、本発明はこのような実施形態に限定されるものではなく、発明の趣旨を逸脱しない範囲において、種々の形態で実施することができる。
【符号の説明】
【００２４】
１      ・・・ボトルボディ、
２      ・・・ボトルボディ、
１１    ・・・キャビティ、
１２    ・・・上側開口、
１３    ・・・下端開口、
１３１  ・・・第１ねじ溝、
１４    ・・・上側蓋部材、
１６    ・・・下側蓋部材、
１７    ・・・第１凸部（結合部）、
１７Ｂ  ・・・第１凸部（結合部）、
１８    ・・・第２凹部（補助結合部）、
１８Ｂ  ・・・第２凹部（補助結合部）、
１９    ・・・支持板、
２１    ・・・キャビティ、
２２    ・・・上側開口、
２３    ・・・下端開口、
２３１  ・・・第２ねじ溝、
２４    ・・・上側蓋部材、
２５    ・・・フィルタ、
２６    ・・・下側蓋部材、
２９    ・・・支持板、
２７    ・・・第１凹部（結合部）、
２７Ｂ  ・・・第１凹部（結合部）、
２８    ・・・第２凸部（補助結合部）、
２８Ｂ  ・・・第２凸部（補助結合部）、
３６    ・・・下側蓋部材、
３６１  ・・・第３ねじ溝、
３６２  ・・・第４ねじ溝、
１００、２００、３００・・・飲料用容器、
４      ・・・ボトルボディ、
４１    ・・・充填空間、
４２    ・・・開口、
４３    ・・・フィルタ、
４４    ・・・上蓋部、
４５    ・・・下蓋部、
５      ・・・容器、
５１    ・・・収納空間、
５２    ・・・ガス注入空間、
５３    ・・・チャンネル。
【図１】
2013039976.tif 000003
【図２】
2013039976.tif 000004
【図３】
2013039976.tif 000005
【図４】
2013039976.tif 000006
【図５】
2013039976.tif 000007
【図６】
2013039976.tif 000008
【図７】
2013039976.tif 000009
【図８】
2013039976.tif 000010
【図９】
2013039976.tif 000011
【図１０】
2013039976.tif 000012
【図１１】
2013039976.tif 000013
【図１２】
2013039976.tif 000014
【図１３】
2013039976.tif 000015